(57)【要約】【課題】ネットワークとシステムの間の通信が遮断された場合にシステムで消費される無駄な電力を抑えること。【解決手段】画像処理装置１１０が、ネットワーク１３０との通信遮断状態を検出した場合（Ｓ５０１でＮｏの場合）、画像出力装置１２０に対して電源オフ状態への移行を指示し（Ｓ５０５）、画像処理装置１１０自身を電源オフ状態へ移行する（Ｓ５０９）。画像出力装置１２０は、画像処理装置１１０からの電源オフ状態への移行指示に従って、画像出力装置１２０自身を電源オフ状態へ移行する。【選択図】図５
2015203899.tif 000002
【特許請求の範囲】
【請求項１】
ネットワークからジョブを受信する第１の装置と、前記第１の装置と連携して前記ジョブを処理する１又は複数の第２の装置とを備えるシステムであって、
前記第１の装置は、
前記ネットワークとの通信状態を検出する検出手段と、
前記検出手段により前記ネットワークとの通信遮断状態が検出された場合に、前記第２の装置に対して所定の電力状態への移行を指示する第１の指示と、前記第１の装置の所定の電力状態への移行を行う第１の制御手段と、を有し、
前記第２の装置は、前記第１の指示に従って前記第２の装置を所定の電力状態へ移行する第２の制御手段を有する、
ことを特徴とするシステム。
【請求項２】
前記所定の電力状態は、電源オフ状態、又は、省電力状態であることを特徴とする請求項１に記載のシステム。
【請求項３】
前記制御手段は、前記ネットワークとの通信遮断状態が検出され、且つ、所定の条件に合致する場合に、前記第１の指示と、前記第１の装置の所定の電力状態への移行を行うことを特徴とする請求項１又は２に記載のシステム。
【請求項４】
前記制御手段は、前記第１の装置の側から通信を遮断している場合には、前記所定の条件に合致しないと判定し、前記第１の装置から前記ネットワークに接続できない場合には、前記所定の条件に合致すると判定する、ことを特徴とする請求項３に記載のシステム。
【請求項５】
前記第１の装置は、前記第１の指示が行われた後に、前記ネットワークとの通信状態を再検出する再検出手段を有し、
前記第１の制御手段は、前記再検出手段により前記ネットワークとの通信可能状態が検出された場合、前記第２の装置に対して前記所定の電力状態への移行中止を指示する第２の指示と、前記第１の装置の所定の電力状態への移行の中止を行い、
前記第２の制御手段は、前記第２の指示に従って前記第２の装置の所定の電力状態への移行を中止する、
ことを特徴とする請求項１乃至４のいずれか１項に記載のシステム。
【請求項６】
前記第１の装置は、前記検出手段により通信遮断状態が検出された後に発生した新規な処理の実行を制限する第１の制限手段を有し、
前記再検出手段は、実行中の処理が全て終了した後に前記再検出を行い、
前記第１の制御手段は、前記実行中の処理が全て終了した後に前記第１の装置の所定の電力状態への移行を行い、
前記第２の装置は、前記第１の指示を受けた後に発生した新規な処理の実行を制限する第２の制限手段を有し、
前記第２の制御手段は、前記第１の指示を受けた際に実行中の処理が全て終了した後に前記第２の装置の所定の電力状態への移行を行う、
ことを特徴とする請求項５に記載のシステム。
【請求項７】
前記第１の装置は、
前記第１の制限手段により実行を制限された処理を記憶する第１の記憶手段と、
前記第１の装置が所定の電力状態から復帰した後又は前記所定の電力状態への移行を中止した後に、前記第１の記憶手段に記憶された処理を実行する第１の実行手段と、を有し、
前記第２の装置は、
前記第２の制限手段により実行を制限された処理を記憶する第２の記憶手段と、
前記第２の装置が所定の電力状態から復帰した後又は前記所定の電力状態への移行を中止した後に、前記第２の記憶手段に記憶された処理を実行する第２の実行手段と、を有する、
ことを特徴とする請求項６に記載のシステム。
【請求項８】
前記第１の装置は、ネットワークから受信した印刷ジョブに画像処理を行う画像処理装置であり、
前記第２の装置は、前記画像処理装置から投入されたジョブに基づいて画像出力を行う画像出力装置である、
ことを特徴とする請求項１乃至７のいずれか１項に記載のシステム。
【請求項９】
ネットワークから受信した印刷ジョブを画像出力装置と連携して処理する画像処理装置であって、
前記ネットワークとの通信状態を検出する検出手段と、
前記検出手段により前記ネットワークとの通信遮断状態が検出された場合に、前記画像出力装置に対して所定の電力状態への移行を指示する第１の指示と、前記画像処理装置の所定の電力状態への移行を行う制御手段と、
を有することを特徴とするが画像処理装置。
【請求項１０】
前記所定の電力状態は、電源オフ状態、又は、省電力状態であることを特徴とする請求項９に記載の画像処理装置。
【請求項１１】
前記制御手段は、前記ネットワークとの通信遮断状態が検出され、且つ、所定の条件に合致する場合に、前記第１の指示と、前記第１の装置の所定の電力状態への移行を行うことを特徴とする請求項９又は１０に記載の画像処理装置。
【請求項１２】
前記制御手段は、前記第１の装置の側から通信を遮断している場合には、前記所定の条件に合致しないと判定し、前記画像処理装置から前記ネットワークに接続できない場合には、前記所定の条件に合致すると判定する、ことを特徴とする請求項１１に記載の画像処理装置。
【請求項１３】
前記第１の指示が行われた後に、前記ネットワークとの通信状態を再検出を行う再検出手段を有し、
前記制御手段は、前記再検出手段により前記ネットワークとの通信可能状態が検出された場合、前記画像出力装置に対して前記所定の電力状態への移行中止を指示する第２の指示と、前記画像処理装置の所定の電力状態への移行の中止を行うことを特徴とする請求項９乃至１３のいずれか１項に記載の画像処理装置。
【請求項１４】
前記検出手段により通信遮断状態が検出された後に新規に発生した処理の実行を制限する制限手段を有し、
前記再検出手段は、実行中の処理が全て終了した後に前記再検出を行い、
前記制御手段は、前記実行中の処理が全て終了した後に前記画像処理装置の所定の電力状態への移行を行うことを特徴とする請求項１３に記載の画像処理装置。
【請求項１５】
前記制限手段により実行を制限された処理を記憶する記憶手段と、
前記画像処理装置が所定の電力状態から復帰した後又は前記所定の電力状態への移行を中止した後に、前記記憶手段に記憶された処理を実行する実行手段と、
を有することを特徴とする請求項１４に記載の画像処理装置。
【請求項１６】
ネットワークからジョブを受信する第１の装置と、前記第１の装置と連携して前記ジョブを処理する１又は複数の第２の装置とを備えるシステムの制御方法であって、
前記第１の装置が実行する、
前記ネットワークとの通信状態を検出する検出ステップと、
前記検出ステップにより前記ネットワークとの通信遮断状態が検出された場合に、前記第２の装置に対して所定の電力状態への移行を指示する指示する指示ステップと、
前記第１の装置の所定の電力状態への移行を行う第１の移行ステップと、
前記第２の装置が実行する、前記指示に従って前記第２の装置の所定の電力状態への移行を行う第２の移行ステップと、
を有することを特徴とするシステムの制御方法。
【請求項１７】
ネットワークから受信した印刷ジョブを画像出力装置と連携して処理する画像処理装置の制御方法であって、
前記ネットワークとの通信状態を検出する検出ステップと、
前記検出ステップにより前記ネットワークとの通信遮断状態が検出された場合、前記画像出力装置に対して所定の電力状態への移行を指示する指示する指示ステップと、
前記画像処理装置の所定の電力状態への移行を行う移行ステップと、
を有することを特徴とするが画像処理装置の制御方法。
【請求項１８】
コンピュータを、請求項９乃至１５のいずれか１項に記載された手段として機能させるためのプログラム。
【発明の詳細な説明】
【技術分野】
【０００１】
本発明は、画像処理装置と画像出力装置が連携して画像処理を行う画像処理システムに関する。
【背景技術】
【０００２】
近年、自然環境の保護に関する注目が高まっている。それに伴い、あらゆる電化製品に対して自然環境の保護の観点から省エネルギー・省電力に関する技術の搭載が要望されている。このような背景の中で、画像処理装置と画像出力装置とが連携して画像処理を行う画像処理システムにおいては、省電力化技術として、画像出力装置の電源スイッチがオフされたときに前記画像出力装置および前記画像処理装置をシャットダウンする技術が知られている（特許文献１）。
【０００３】
一方、ＥＵ諸国のエネルギー関連製品における環境配慮設計を義務づける規制として、エコデザイン指令（Energy-related Products指令：以下、Ｅｒｐ指令と記す。）がある。この指令は、エネルギーを使う製品のライフサイクル全体における環境負荷の低減を求めたものである。ＥｒＰ指令の中には、ネットワーク通信機能を備えた機器のスタンバイ状態を規定したＬｏｔ２６がある。Ｌｏｔ２６では、エネルギーの環境配慮の観点から、ネットワーク未接続時のデバイスの電源をオフすることが要求されている。
【先行技術文献】
【特許文献】
【０００４】
【特許文献１】特開２００４−２６２０６５号公報
【発明の概要】
【発明が解決しようとする課題】
【０００５】
上述したような画像処理システムにおいては、パブリックネットワーク上にあるクライアントコンピュータで作成された印刷データを、印刷データの投入口である画像処理装置が受信し、当該画像処理装置が、印刷データのＲＩＰ処理を行い、画像データを生成する。そして、生成された画像データが画像出力装置に送信されて、前記画像出力装置によって画像データの出力が行われる。
【０００６】
しかしながら、パブリックネットワークにおいて通信機器の停止や、通信機器の再起動、結線の切断などで通信異常が発生したとき、パブリックネットワークと画像処理装置は未接続になる。そのため、ＥｒＰ指令の規制に従って、ネットワーク未接続の画像処理装置の消費電力を抑えるために、画像処理装置の電源をオフ等にする必要がある。しかし、画像処理装置の電源がオフ等になっても、当該画像処理装置と連携する装置が無駄に稼働したままでは、無駄に電力が消費されてしまう。なお、このような問題は、上述したような画像処理システムに限定されるものではなく、ネットワークから受信したジョブを複数の装置で連繋して処理するシステムに共通の問題となっている。
【０００７】
本発明は、上記の問題点を解決するためになされたものである。本発明の目的は、ネットワークとシステムの間の通信が遮断された場合にシステムで消費される無駄な電力を抑えることができる仕組みを提供することである。
【課題を解決するための手段】
【０００８】
本発明は、ネットワークからジョブを受信する第１の装置と、前記第１の装置と連携して前記ジョブを処理する１又は複数の第２の装置とを備えるシステムであって、前記第１の装置は、前記ネットワークとの通信状態を検出する検出手段と、前記検出手段により前記ネットワークとの通信遮断状態が検出された場合に、前記第２の装置に対して所定の電力状態への移行を指示する第１の指示と、前記第１の装置の所定の電力状態への移行を行う第１の制御手段と、を有し、前記第２の装置は、前記第１の指示に従って前記第２の装置を所定の電力状態へ移行する第２の制御手段を有する、ことを特徴とする。
【発明の効果】
【０００９】
本発明によれば、ネットワークとシステムの間の通信が遮断された場合にシステムで消費される無駄な電力を抑えることができる。
【図面の簡単な説明】
【００１０】
【図１】本発明の画像処理システムの全体構成を例示する図
【図２】画像処理装置および画像出力装置のハードウェアブロック図
【図３】画像処理システムのソフトウェアブロック図
【図４】画像処理システムの電力状態の状態遷移図
【図５】実施例１の画像処理装置の処理を例示するフローチャート
【図６】実施例１の画像出力装置の処理を例示するフローチャート
【図７】実施例２の画像処理装置の処理を例示するフローチャート
【図８】実施例２の画像出力装置の処理を例示するフローチャート
【発明を実施するための形態】
【００１１】
以下、本発明を実施するための形態について図面を用いて説明する。
【実施例１】
【００１２】
図１は、本発明の一実施例の画像処理システム１００の全体構成を例示する図である。
図１に示すように、画像処理システム１００は、画像処理装置１１０と、画像出力装置（画像形成装置）１２０とを備えている。この画像処理システム１００では、クライアントコンピュータ１４０と画像処理装置１１０とが、イーサネット（登録商標）ケーブル等のネットワーク１３０を介して通信可能な状態に接続されている。また、画像処理装置１１０と画像出力装置１２０は、制御ケーブル１１１および画像ビデオケーブル１１２を介して接続されている。なお、ネットワーク１３０は、イーサネット（登録商標）に限定されるものではなく、有線・無線を問わずあらゆるネットワークを含むものとする。
【００１３】
本実施例では、画像出力装置１２０は、ネットワーク１３０に直接接続されていない。つまり画像出力装置１２０とクライアントコンピュータ１４０とは、画像処理装置１１０を介して通信を行う。なお、画像出力装置１２０が、ネットワーク１３０に直接接続される構成でもよい。つまり画像出力装置１２０は、画像処理装置１１０を介さずに、直接クライアントコンピュータ１４０と通信可能な状態に接続されていてもよい。
【００１４】
クライアントコンピュータ１４０は、アプリケーションを起動させて画像処理システム１００に印刷指示などを行う。画像処理装置１１０は、画像出力装置１２０と連携して画像処理を行う。画像出力装置１２０は、ＭＦＰ（Multiple Function Peripheral）である。
【００１５】
図１に示すように、画像出力装置１２０は、スキャナ部１２１、操作部１２２、画像処理コントローラ１２３、プリンタ部１２４およびファックス部１２５を有している。スキャナ部１２１は、原稿を読み取って画像データを入力する。操作部１２２は、各種キーやパネルを有する。また、操作部１２２は、各種キーを介して、ユーザから各種指示を受け付ける。また、操作部１２２は、パネルを介して各種情報を表示する。画像処理コントローラ１２３は、スキャナ部１２１やプリンタ部１２４などを制御する。画像処理コントローラ１２３の詳細は後述する。プリンタ部１２４は、画像データに基づいて用紙に印刷を行う。ファックス部１２５は、不図示の電話回線に接続され、当該電話回線等を介してファクシミリの入出力処理を行う。
【００１６】
上記構成の画像出力装置１２０は、以下の機能を実行することができる。
・コピー機能
スキャナ部１２１により読み取られた原稿の画像データを後述するＨＤＤ２１６（図２）に記録すると共に、当該画像データに基づいてプリンタ部１２４が記録メディアである用紙に印刷を行う。
・ＳＥＮＤ機能
スキャナ部１２１により読み取られた原稿の画像データを、ネットワークを介してクライアントコンピュータ１４０に送信する。
・ＢＯＸ機能
スキャナ部１２１により読み取られた原稿の画像データをＨＤＤ２１６に記録する。また、クライアントコンピュータ１４０から送信された画像データをＨＤＤ２１６に記憶する。
・プリント機能
クライアントコンピュータ１４０から送信されたＰＤＬ（Page Description Language）データをプリンタ部１２４が解釈して印刷する。
【００１７】
＜画像処理コントローラおよび画像出力装置の構成＞
図２は、画像処理装置１１０および画像出力装置１２０のハードウェアブロック図である。
【００１８】
まず、画像処理装置１１０の構成から説明する。
画像処理装置１１０は、ＣＰＵ２０１、メモリ２０２、ＨＤＤ２０３、ネットワークＩ／Ｆ２０４およびネットワークＩ／Ｆ２０５、並びにビデオＩ／Ｆ２０６、電源制御部２０７を有している。
【００１９】
ＣＰＵ２０１は、システムバス２０８を介して画像処理装置１１０の各部の制御、演算、及び記憶装置（メモリ２０２やＨＤＤ２０３）に格納されたプログラムの実行を行う。メモリ２０２は、ＣＰＵ２０１のワークメモリとして使用される。ＨＤＤ（Hard Disk Drive）２０３は、大容量の記憶装置であり、ＣＰＵ２０１により実行される各種制御プログラムおよび画像データを格納している。なお、ＨＤＤ２０３の代わりにＳＳＤ（drive Solid State Drive）等の他の記憶装置を備えていてもよい。
【００２０】
ネットワークＩ／Ｆ（ＮＷ Ｉ／Ｆ）２０４は、ネットワーク１３０を介してクライアントコンピュータ１４０などの他の装置と接続し、通信を行うネットワークインタフェースである。ネットワークＩ／Ｆ（ＮＷ Ｉ／Ｆ）２０５は、制御ケーブル１１１を介して画像出力装置１２０と制御コマンドの送受信を行うネットワークインタフェースである。ビデオＩ／Ｆ２０６は、画像ビデオケーブル１１２を介して画像出力装置１２０と画像データの送受信を行う。電源制御部２０７は、画像処理装置１１０各部の電力供給制御を行う。
【００２１】
次に、画像出力装置１２０の画像処理コントローラ１２３の詳細を説明する。
画像出力装置１２０の画像処理コントローラ１２３は、ＣＰＵ２１１、メモリ２１２、リーダＩ／Ｆ２１３、ネットワークＩ／Ｆ２１４、電源制御部２１５、ＨＤＤ２１６、エンジンＩ／Ｆ２１７、ファックスＩ／Ｆ２１８およびビデオＩ／Ｆ２１９を有している。
【００２２】
ＣＰＵ２１１は、システムバス２１０を介して、画像出力装置１２０の各部の制御、演算及び記憶装置（メモリ２１２やＨＤＤ２１６）に格納されたプログラムの実行を行う。メモリ２１２は、ＣＰＵ２１１のワークメモリとして使用される。リーダＩ／Ｆ２１３は、スキャナ部１２１よび操作部１２２と制御コマンドの送受信を行う。
【００２３】
ネットワークＩ／Ｆ（ＮＷ Ｉ／Ｆ）２１４は、制御ケーブル１１１を介して画像処理装置１１０と制御コマンドの送受信を行うネットワークインタフェースである。ＨＤＤ（Hard Disk Drive）２１６は、大容量の記憶装置であり、ＣＰＵ２１１により実行される各種制御プログラムや画像データを格納している。なお、ＨＤＤ２０３の代わりにＳＳＤ（drive Solid State Drive）等の他の記憶装置を備えていてもよい。
【００２４】
エンジンＩ／Ｆ２１７は、プリンタ部１２４と制御コマンドの送受信を行う。ファックスＩ／Ｆ２１８は、ファックス部１２５に接続されている。ビデオＩ／Ｆ２１９は、画像ビデオケーブル１１２を介して画像処理装置１１０と画像データの送受信を行う。電源制御部２１５は、画像出力装置１２０各部の電力供給制御を行う。
【００２５】
画像処理装置１１０は、電源制御部２０７によって電源が管理されている。画像処理装置１１０がスタンバイ状態のとき、電源制御部２０７は、ＣＰＵ２０１、メモリ２０２、ＨＤＤ２０３、ネットワークＩ／Ｆ２０４、ネットワークＩ／Ｆ２０５およびビデオ／Ｆ２０６の各部に電力が供給されるように電源を制御する。
【００２６】
また、画像処理装置１１０が省電力状態のとき、電源制御部２０７は、ＣＰＵ２０１、ＨＤＤ２０３、ビデオ／Ｆ２０６への電力供給が停止し、メモリ２０２、ネットワークＩ／Ｆ２０４およびネットワークＩ／Ｆ２０５などの限られた部分だけに電力が供給されるように電源を制御する。
【００２７】
また、画像処理装置１１０が電源ＯＦＦ状態のとき、ＣＰＵ２０１、メモリ２０２、ＨＤＤ２０３、ネットワークＩ／Ｆ２０４およびネットワークＩ／Ｆ２０５、ビデオ／Ｆ２０６への電力供給が停止するように電源を制御する。
【００２８】
一方、画像出力装置１２０は、電源制御部２１５によって電源が管理されている。画像出力装置１２０がスタンバイ状態のとき、電源制御部２１５は、スキャナ部１２１、操作部１２２、画像処理コントローラ１２３、プリンタ部１２４、ファックス部１２５の各部に電力が供給されるように電源を制御する。
【００２９】
また、画像出力装置１２０が省電力状態のとき、電源制御部２１５は、スキャナ部１２１や操作部１２２、プリンタ部１２４への電力の供給を停止させる。また、省電力状態のとき、電源制御部２１５は、画像処理コントローラ１２３のＣＰＵ２１１、ＨＤＤ２１６、エンジンＩ／Ｆ２１７、ビデオＩ／Ｆ２１９、リーダＩ／Ｆ２１３、ファックスＩ／Ｆ２１８への電力の供給も停止させる。省電力状態では、電源制御部２１５、メモリ２１２およびネットワークＩ／Ｆ２１４などの限られた部分への電力供給を行い、その他の部分への電力供給を停止する。
【００３０】
また、画像出力装置１２０が電源ＯＦＦ状態のとき、電源制御部２１５は、スキャナ部１２１や操作部１２２、プリンタ部１２４、画像処理コントローラ１２３のＣＰＵ２１１、メモリ２１２、リーダＩ／Ｆ２１３、ネットワークＩ／Ｆ２１４、ＨＤＤ２１６、エンジンＩ／Ｆ２１７、ファックスＩ／Ｆ２１８、ビデオＩ／Ｆ２１９への電力供給を停止する。
【００３１】
＜画像処理コントローラのソフトウェア構成＞
以下、図３を参照して、画像処理装置１１０のソフトウェア構成について説明する。
図３は、画像処理装置１１０のソフトウェア構成を例示する図である。なお、図３に示す各ソフトウェアは、画像処理装置１１０のメモリ２０２またはＨＤＤ２０３に記憶されたプログラムをＣＰＵ２０１が読み出して実行することにより実現される。
【００３２】
ＯＳ３２１は、画像処理装置１１０の基本ソフトであるＯＳ（オペレーティングシステム）を示している。プリントサーバアプリケーション３０１は、ＣＰＵ２０１で実行されるＯＳ３２１上で動作するアプリケーションソフトウェアである。プリントサーバアプリケーション３０１は、組み版編集部３１１、ジョブ制御部３１２、およびＲＩＰ処理部３１３を有し、画像処理を含む各種所定の処理を実行する。
【００３３】
組み版編集部３１１は、クライアントコンピュータ１４０からの指示に基づき、ページ毎の画像データを製本組み版フォーマットに編集する組み版編集処理を行う編集部である。ジョブ制御部（ＪＯＢ制御部）３１２は、クライアントコンピュータ１４０からの指示に基づき、印刷ジョブの制御を行う制御部である。具体的には、ジョブ制御部３１２は、クライアントコンピュータ１４０からの印刷ジョブの受信やその指示とその印刷ジョブの印刷順番制御を行う。ＲＩＰ処理部３１３は、組み版編集部３１１による組み版時や、ジョブ制御部３１２において実際の画像形成処理を行う場合にＰＤＬを印刷可能なラスターイメージに変換処理をする処理部である。
【００３４】
例えば、画像処理装置１１０は、ネットワーク１３０から受信した印刷ジョブに画像処理等を行って画像出力装置１２０に投入する。そして、画像出力装置１２０は、画像処理装置１１０から投入されたジョブに基づいて画像出力を行う。
【００３５】
＜画像処理装置の電力状態の遷移＞
図４は、画像処理装置１１０および画像出力装置１２０の電力状態の遷移を示す状態遷移図である。
【００３６】
本実施例の画像処理装置１１０および画像出力装置１２０は、電源ＯＦＦ状態４０１、スタンバイ状態（第１電力状態）４０２、ジョブ実行状態４０３、省電力状態（第２電力状態）４０４のいずれかの電力状態になる。ここでは、上記した４つの状態を例示したが、本発明はこれに限らず、画像処理装置１１０および画像出力装置１２０が他の電力状態になってもよい。例えば、画像処理装置１１０および画像出力装置１２０は、サスペンド状態やハイバネーション状態になってもよい。
【００３７】
まず、画像処理装置１１０の電力状態から説明する。
画像処理装置１１０の電力状態を消費電力の高い順に並べると、ジョブ実行状態４０３＞スタンバイ状態４０２＞省電力状態４０４＞電源ＯＦＦ状態４０１となる。
電源ＯＦＦ状態４０１は、画像処理装置１１０の全ての構成に対して電力供給が停止する状態である。電源ＯＦＦ状態４０１において、ユーザが画像処理装置１１０に電源を供給すると、画像処理装置１１０はスタンバイ状態４０２に電源状態を遷移する。
【００３８】
スタンバイ状態４０２は、画像処理装置１１０がクライアントコンピュータ１４０からのアクセスを待機している状態であり、画像処理装置１１０の全ての構成に対して電力供給が行われる。なお、スタンバイ状態４０２では、画像処理装置１１０の構成のうち、必ずしも全ての構成に対して電力供給が行われる必要はない。必須となる構成には電力供給され、それ以外の構成（例えばビデオＩ／Ｆ２０６等）には電力供給されないようにしてもよい。スタンバイ状態４０２において、クライアントコンピュータ１４０からネットワークアクセスを受け付けると、画像処理装置１１０は、ジョブ実行状態４０３に遷移する。また、スタンバイ状態４０２において、スリープ移行要因があると、画像処理装置１１０は、省電力状態４０４に遷移する。
【００３９】
スリープ移行要因としては、
・ユーザがスリープ移行ボタン（図示せず）を押したこと
・スタンバイ状態４０２で印刷ジョブなどを実行しない状態で所定時間が経過したこと
・クライアントコンピュータ１４０から画像処理装置１１０にネットワークアクセスをしない状態で所定時間が経過したこと
などが該当する。
【００４０】
また、スタンバイ状態４０２において、ユーザが画像処理装置１１０の電力供給を停止させると、シャットダウン処理が実行されて、画像処理装置１１０は、電源ＯＦＦ状態４０１に遷移する。シャットダウン処理とは、画像処理装置１１０を終了させるために、ＯＳやアプリケーションを終了させる処理のことである。
【００４１】
ジョブ実行状態４０３は、画像処理装置１１０がジョブを実行している状態であり、画像処理装置１１０の全ての構成に対して電力供給が行われる。なおジョブ実行状態４０３でも、画像処理装置１１０の構成のうち、必ずしも全ての構成に対して電力供給が行われる必要はない。必須となる構成には電力供給され、それ以外の構成（例えばビデオＩ／Ｆ２０６等）には電力供給されないようにしてもよい。また、ジョブの実行に使用されないユニットに対しては電力供給されないようにしてもよい。具体的には、印刷せずに印刷ジョブの編集だけをしている場合には、印刷ジョブの編集に使用されないビデオＩ／Ｆ２０６等などへの電力供給を停止してもよい。ジョブ実行状態４０３において、ジョブを終了すると、スタンバイ状態４０２に遷移する。
【００４２】
省電力状態４０４は、画像処理装置１１０が省電力で待機している状態であり、画像処理装置１１０の構成のうち、ネットワークＩ／Ｆ２０４を含む一部の構成に対して電力供給が行われる状態である。この省電力状態４０４では、ビデオＩ／Ｆ２０６に対しては電力供給が停止される。省電力状態４０４において、スリープ復帰要因を受け付けると、スタンバイ状態４０２に遷移する。なお、ネットワークＩ／Ｆ２０４およびネットワークＩ／Ｆ２０５が、ネットワークを介して送信される簡単なパケットに対して、省電力状態４０４のままで、応答することができる。この機能を代理応答と言う。簡単なパケットとして、ＡＲＰ（Address Resolution Protocol）要求、ＳＮＭＰ（Simple Network Management Protocol）状態取得、ＩＣＭＰ（Internet Control Message Protocol）地下隣探索などのパケットが挙げられる。
【００４３】
スリープ復帰要因としては、
・ユーザがスリープ復帰ボタンを押したこと
・クライアントコンピュータ１４０からネットワークアクセスを受け付けたこと
・画像出力装置１２０からネットワークアクセスを受け付けたこと
などが該当する。
【００４４】
サスペンド状態とは、画像処理装置１１０がスタンバイ状態４０２に高速で復帰可能な状態である。このサスペンド状態では、画像処理装置１１０のメモリ２０２への通電が維持されており、画像処理装置１１０は、メモリ２０２に記憶した画像処理装置１１０の状態を用いて画像処理装置１１０がスタンバイ状態４０２に起動する。また、ハイバネーション状態も、画像処理装置１１０がスタンバイ状態に高速で復帰可能な状態である。このハイバネーション状態では、電力状態が電源ＯＦＦ状態４０１と同様であって、画像処理装置１１０の各部への電力供給は停止される。ただし、電源ＯＦＦ状態４０１と異なるのは、ハイバネーション状態に移行する前に、画像処理装置１１０の状態が画像処理装置１１０のＨＤＤ２０３に記憶されることである。ハイバネーション状態からスタンバイ状態に復帰する場合には、画像処理装置１１０は、ＨＤＤ２０３に記憶された情報に基づいて、高速復帰する。
【００４５】
次に、画像出力装置１２０の電力状態について説明する。
画像出力装置１２０の電力状態を消費電力の高い順に並べると、ジョブ実行状態４０３＞スタンバイ状態４０２＞省電力状態４０４＞電源ＯＦＦ状態４０１となる。
電源ＯＦＦ状態４０１は、画像出力装置１２０の全ての構成に対して電力供給が停止する状態である。電源ＯＦＦ状態４０１において、ユーザが画像出力装置１２０に電源を供給すると、画像出力装置１２０はスタンバイ状態４０２に電源状態を遷移する。
【００４６】
スタンバイ状態４０２は、画像出力装置１２０が画像処理装置１１０からのアクセスを待機している状態であり、画像出力装置１２０の全ての構成に対して電力供給が行われる。なおスタンバイ状態４０２では、画像出力装置１２０の構成のうち、必ずしも全ての構成に対して電力供給が行われる必要はない。必須となる構成には電力供給され、それ以外の構成（例えばビデオＩ／Ｆ２１９等）には電力供給されないようにしてもよい。スタンバイ状態４０２において、画像出力装置１２０からネットワークアクセスを受け付けると、画像出力装置１２０は、ジョブ実行状態４０３に遷移する。また、スタンバイ状態４０２において、スリープ移行要因があると、画像出力装置１２０は、省電力状態４０４に遷移する。
【００４７】
スリープ移行要因としては、
・ユーザがスリープ移行ボタン（図示せず）を押したこと
・スタンバイ状態４０２で印刷ジョブなどを実行しない状態で所定時間が経過したこと
・画像処理装置１１０から画像出力装置１２０にネットワークアクセスをしない状態で所定時間が経過したこと
などが該当する。
【００４８】
また、スタンバイ状態４０２において、ユーザが画像出力装置１２０の電力供給を停止させると、シャットダウン処理が実行されて、画像出力装置１２０は、電源ＯＦＦ状態４０１に遷移する。シャットダウン処理とは、画像出力装置１２０を終了させるために、ＯＳやアプリケーションを終了させる処理のことである。
【００４９】
ジョブ実行状態４０３は、画像出力装置１２０がジョブを実行している状態であり、画像出力装置１２０の全ての構成に対して電力供給が行われる。なおジョブ実行状態４０３でも、画像出力装置１２０の構成のうち、必ずしも全ての構成に対して電力供給が行われる必要はない。必須となる構成には電力供給され、それ以外の構成（例えばビデオＩ／Ｆ２１９等）には電力供給されないようにしてもよい。また、ジョブの実行に使用されないユニットに対しては電力供給されないようにしてもよい。具体的には、印刷せずに印刷ジョブの編集だけをしている場合には、印刷ジョブの編集に使用されないビデオＩ／Ｆ２１９等などへの電力供給を停止してもよい。ジョブ実行状態４０３において、ジョブを終了すると、スタンバイ状態４０２に遷移する。
【００５０】
省電力状態４０４は、画像出力装置１２０が省電力で待機している状態であり、画像出力装置１２０の構成のうち、ネットワークＩ／Ｆ２１４を含む一部の構成に対して電力供給が行われる状態である。この省電力状態４０４では、ビデオＩ／Ｆ２１９に対しては電力供給が停止される。省電力状態４０４において、スリープ復帰要因を受け付けると、スタンバイ状態４０２に遷移する。なお、ネットワークＩ／Ｆ２１４が、ネットワークを介して送信される簡単なパケットに対して、省電力状態４０４のままで、応答することができる。この機能を代理応答と言う。簡単なパケットとして、ＡＲＰ要求、ＳＮＭＰ状態取得、ＩＣＭＰ地下隣探索などのパケットが挙げられる。
【００５１】
スリープ復帰要因としては、
・ユーザがスリープ復帰ボタンを押したこと
・画像処理装置１１０からネットワークアクセスを受け付けたこと
などが該当する。
【００５２】
サスペンド状態とは、画像出力装置１２０がスタンバイ状態４０２に高速で復帰可能な状態である。このサスペンド状態では、画像出力装置１２０のメモリ２１２への通電が維持されており、画像出力装置１２０は、メモリ２１２に記憶した画像出力装置１２０の状態を用いて画像出力装置１２０がスタンバイ状態４０２に起動する。また、ハイバネーション状態も、画像出力装置１２０がスタンバイ状態に高速で復帰可能な状態である。このハイバネーション状態では、電力状態が電源ＯＦＦ状態４０１と同様であって、画像出力装置１２０の各部への電力供給は停止される。ただし、電源ＯＦＦ状態４０１と異なるのは、ハイバネーション状態に移行する前に、画像出力装置１２０の状態が画像出力装置１２０のＨＤＤ２１６に記憶されることである。ハイバネーション状態からスタンバイ状態に復帰する場合には、画像出力装置１２０は、ＨＤＤ２１６に記憶された情報に基づいて、高速復帰する。
【００５３】
＜画像処理装置および画像出力装置が電源ＯＦＦ状態に移行するときの画像処理装置の動作説明＞
図５を参照して、画像処理装置１１０が電源ＯＦＦ状態４０１に移行する場合の画像処理装置１１０の動作を説明する。
図５は、実施例１の画像処理装置１１０処理を例示するフローチャートである。なお、図５に示すフローチャートの処理は、メモリ２０２に展開されたプログラムをＣＰＵ２０１が実行することにより実現される。
【００５４】
ＣＰＵ２０１は、定期的にネットワークＩ／Ｆ２０４の動作状況を監視し、画像処理装置１１０とパブリックネットワーク１３０の通信状態を判定する（Ｓ５０１）。そして、ＣＰＵ２０１は、画像処理装置１１０とパブリックネットワーク１３０との通信が可能である（Ｓ５０１でＹｅｓ）と判定した間は、Ｓ５０１の状態判定を繰り返す。一方、画像処理装置１１０のネットワークＩ／Ｆ２０４の通信ポートの状態が通信不能状態であるリンクダウン状態であると判定した場合、ＣＰＵ２０１は、通信可能でないと判定し（Ｓ５０１でＮｏと判定し）、Ｓ５０２に処理を進める。Ｓ５０２において、ＣＰＵ２０１は、画像処理装置１１０とパブリックネットワーク１３０との通信が遮断されたことを検出したと判断し、Ｓ５０３に処理を進める。
【００５５】
Ｓ５０３では、ＣＰＵ２０１は、上記検出した画像処理装置１１０とパブリックネットワーク１３０との通信が遮断された状態が、画像処理装置１１０および画像出力装置１２０それぞれの電源状態を電源ＯＦＦ状態に移行させる条件に合致しているかどうかを判定する。
【００５６】
例えば、ネットワークＩ／Ｆ２０４の通信遮断の誤検知や、画像処理装置１１０のネットワークの設定変更を切換えるため等で画像処理装置１１０側から通信を遮断している場合には、電源ＯＦＦ状態にする必要がないため電源ＯＦＦ状態に移行させる条件に合致しないと判定する。一方、画像処理装置１１０がパブリックネットワークに接続したときに、パブリックネットワーク側のネットワーク機器の異常や再起動などによって接続できない場合等では、電源ＯＦＦ状態に移行させる条件に合致すると判定する。
【００５７】
そして、電源ＯＦＦ状態に移行する条件に合致していないと判定した場合（Ｓ５０３でＮｏの場合）、ＣＰＵ２０１は、Ｓ５０１に処理を戻す。
一方、電源ＯＦＦ状態に移行する条件に合致すると判定した場合（Ｓ５０３でＹｅｓの場合）、ＣＰＵ２０１は、Ｓ５０４に処理を進める。なお、画像処理装置１１０では、画像処理装置１１０自身を電源ＯＦＦ状態に移行する前に所定の処理（前準備）を行っておく必要がある。以下、詳細に説明する。
【００５８】
Ｓ５０４では、画像出力装置１２０の電源状態変更指示の連絡を行うために、ＣＰＵ２０１が、画像処理装置１１０を電源ＯＦＦ状態に移行させる前準備を開始する。
まず、Ｓ５０５において、ＣＰＵ２０１は、画像処理装置１１０に接続する画像出力装置１２０に電源ＯＦＦ状態に移行するように指示する。この指示（電源ＯＦＦ状態への移行指示）に応じて、画像出力装置１２０は、後述するＳ６０１〜Ｓ６０４の処理を行って、Ｓ６０４にて、画像処理装置１１０のＣＰＵ２０１に対して、上記移行指示を受領したことを通知する（受領済通知）。
【００５９】
画像処理装置１１０のＣＰＵ２０１は、Ｓ５０６において、画像出力装置１２０が電源ＯＦＦ状態への移行指示を受領した旨の通知（受領済通知）を受信したか否かを判定する。そして、まだ画像出力装置１２０から受領済通知を受信していないと判定した場合（Ｓ５０６で「無」の場合）、ＣＰＵ２０１は、Ｓ５０５に処理を戻し、再度、電源ＯＦＦ状態への移行指示を送付する。
【００６０】
一方、上記Ｓ５０６において、画像出力装置１２０から上記受領済通知を受信したと判定した場合（Ｓ５０６で「有」の場合）、ＣＰＵ２０１は、Ｓ５０７に処理を進める。Ｓ５０７では、ＣＰＵ２０１は、上記受領済通知が到達したことにより、画像処理装置１１０の電源ＯＦＦ状態への移行を開始する旨の連絡（移行開始の連絡）を、画像出力装置１２０に送信する。この連絡に応じて、画像出力装置１２０は、後述するＳ６０５以降の処理を行って自身を電源ＯＦＦ状態に移行させる。
【００６１】
次に、画像処理装置１１０のＣＰＵ２０１は、Ｓ５０８において、画像処理装置１１０を電源ＯＦＦ状態に移行させる前準備を終了し、Ｓ５０９において、画像処理装置１１０を電源ＯＦＦ状態に移行させて終了する。上記Ｓ５０９では、ＣＰＵ２０１は、電源制御部２０７に電源ＯＦＦの指示を行い、電源制御部２０７が画像処理装置１１０各部への電力供給を停止する。
【００６２】
＜画像処理装置および画像出力装置が電源ＯＦＦ状態に移行するときの画像出力装置の動作説明＞
以下、図６を参照して、画像出力装置１２０が電源ＯＦＦ状態４０１に移行する場合の画像出力装置１２０の動作を説明する。
図６は、実施例１の画像出力装置１２０の処理を例示するフローチャートである。なお、図６に示したフローチャートの処理は、メモリ２１２に展開されたプログラムをＣＰＵ２１１が実行することにより実現される。
【００６３】
画像出力装置１２０のＣＰＵ２１１は、上記図５のＳ５０５において画像処理装置１１０から送信されてくる電源ＯＦＦ状態への移行指示の到達を定期的に監視する（Ｓ６０１）。そして、上記移行指示が到達していないと判定した場合（Ｓ６０１で「無」の場合）、ＣＰＵ２１１は、Ｓ６０１の判定を繰り返す。一方、上記移行指示が到達したと判定した場合（Ｓ６０１で「有」の場合）、ＣＰＵ２１１は、Ｓ６０３に処理を進める。
【００６４】
Ｓ６０３では、ＣＰＵ２１１は、画像出力装置１２０を電源ＯＦＦ状態に移行させる前準備を開始する。まず、Ｓ６０４において、ＣＰＵ２１１は、上記移行指示を受領したこと示す通知（受領済通知）を画像処理装置１１０に送信する。この受領済通知の受信に応じて、画像処理装置１１０は、上記図５のＳ５０７以降の処理を行う。
【００６５】
次に、Ｓ６０５において、ＣＰＵ２１１は、画像処理装置１１０に上記受領済通知が到達したか否かを判定する。上述したように、画像処理装置１１０では、図５のＳ５０７において、上記受領済通知が到達した場合に電源ＯＦＦ状態に移行開始する旨の連絡（移行開始の連絡）を画像出力装置１２０に送信する構成となっている。よって、画像出力装置１２０では、この移行開始の連絡を受信したか否かで上記受領済通知が到達したか否かを判定する。
【００６６】
ＣＰＵ２１１は、画像処理装置１１０から上記移行開始の連絡を受信していない場合、上記受領済通知が到達していないと判定し（Ｓ６０５でＮｏと判定し）、Ｓ６０４に処理を戻す。そして、再度、上記受領済通知を画像処理装置１１０に送信する。
【００６７】
一方、ＣＰＵ２１１は、画像処理装置１１０から上記移行開始の連絡を受信した場合、上記受領済通知が到達したと判定し（Ｓ６０５でＹｅｓと判定し）、Ｓ６０６に処理を進める。Ｓ６０６では、ＣＰＵ２１１は、画像出力装置１２０を電源ＯＦＦ状態４０１に移行させる前準備を終了する。そして、Ｓ６０７において、ＣＰＵ２１１は、画像出力装置１２０を電源ＯＦＦ状態４０１に移行させて終了する。上記Ｓ６０７では、ＣＰＵ２１１は、電源制御部２１５に電源ＯＦＦの指示を行い、電源制御部２１５が画像出力装置１２０各部への電力供給を停止する。
【００６８】
以上示したように、実施例１によれば、画像処理システム１００を構成する画像処理装置１１０および画像出力装置１２０が連携することによって、画像処理装置１１０および画像出力装置１２０双方の電源状態を共に電源ＯＦＦ状態に移行させることができる。これによって、ネットワークの通信状態に起因した障害が発生しても、画像処理システム１００の電源管理を最適に行うことができ、画像処理システム１００全体で消費電力を抑えることができる。
【実施例２】
【００６９】
＜実施例２の画像処理装置および画像出力装置が電源ＯＦＦ状態に移行するときの画像処理装置の動作説明＞
上記実施例１では、画像処理装置１１０および画像出力装置１２０が電源ＯＦＦ状態４０１に移行する場合、それぞれ連動して電源ＯＦＦ状態４０１に移行する例について説明した。しかし、本発明はこれに限定されるものではなくい。
【００７０】
例えば、機器の再起動や結線の繋ぎ換えなどで、画像処理装置１１０とパブリックネットワーク１３０の通信状態が一時的に瞬断する場合がある。このような場合に、その都度、電源ＯＦＦ状態に移行し、再度、電源ＯＮ状態に移行させていては、省電力の効果および利便性が薄れてしまうばかりか、かえって無駄な電力を消費してしまう可能性がある。実施例２では、省電力の効果および利便性を保ちつつ電源ＯＦＦ状態に移行するために、電源ＯＦＦ状態移行処理に電源ＯＦＦ状態移行条件の再確認機能を設ける。以下、詳細に説明する。なお、実施例１と同一の構成については説明を省略する。
【００７１】
以下、図７を参照して、実施例２において、画像処理装置１１０が電源ＯＦＦ状態４０１に移行する場合の画像処理装置１１０の動作を説明する。
図７は、実施例２の画像処理装置１１０の処理を例示するフローチャートである。なお、図７に示したフローチャートの処理は、メモリ２０２に展開されたプログラムをＣＰＵ２０１が実行することにより実現される。なお、図５と同一のステップには同一のステップ番号を付してある。
【００７２】
Ｓ５０１〜Ｓ５０７の説明は省略する。画像処理装置１１０のＣＰＵ２０１は、Ｓ５０７において、受領済通知を受信したと画像出力装置１２０に通知した後、Ｓ７０１に処理を進める。Ｓ７０１では、ＣＰＵ２０１は、画像処理装置１１０内で発生する電源ＯＦＦ状態に移行するのに不要な新規の処理の発生の有無を監視する。以下、電源ＯＦＦ状態に移行するのに不要な新規の処理の具体的な例を示す。
【００７３】
・定期的な画像処理装置１１０内の設定データの保存処理で、これから開始される処理
・画像処理装置１１０および画像出力装置１２０で連携して定期的に行う各種処理で、これから開始される処理（例えばキャリブレーション処理、印刷処理など）
・定期的に行われる情報更新処理で、これから開始される処理（例えば、画像出力装置１２０から送信される用紙残量情報の更新処理、トナー残量情報の更新処理など）
【００７４】
上記Ｓ７０１において、上記新規の処理が発生したと判定した場合（Ｓ７０１で「有」の場合）、ＣＰＵ２０１は、Ｓ７０２に処理を進める。Ｓ７０２では、ＣＰＵ２０１は、処理制限をかけて、上記新規の処理を実行させずに終了させ、Ｓ７０３に処理を進める。即ち、Ｓ５０２で通信遮断状態が検出された後に発生した上記新規に処理の実行を制限する。一方、上記新規の処理が発生していないと判定した場合（Ｓ７０１で「無」の場合）、ＣＰＵ２０１は、そのままＳ７０３に処理を進める。
【００７５】
Ｓ７０３では、ＣＰＵ２０１は、画像処理装置１１０内で現在処理されている動作中（実行中）の処理の終了状況を判定する。以下、動作中の処理の具体的な例を示す。
・動作中の画像処理装置１１０内の設定データの保存処理
・画像処理装置１１０および画像出力装置１２０で連携して行っている動作中の各種処理（例えば、キャリブレーション処理、印刷処理など）
・動作中の情報更新処理（例えば、画像出力装置１２０から送信される用紙残量情報の更新処理、トナー残量情報の更新処理など）
【００７６】
上記Ｓ７０３において、まだ上記動作中の処理が全て終了していないと判定した場合（Ｓ７０３でＮｏの場合）、ＣＰＵ２０１は、Ｓ７０１に処理を戻し、再度、画像処理装置１１０内で発生する電源ＯＦＦ状態に移行に不要な新規処理の発生の有無を監視する。
【００７７】
一方、上記動作中の処理が全て終了したと判定した場合（Ｓ７０３でＹｅｓの場合）、ＣＰＵ２０１は、Ｓ７０４に処理を進める。Ｓ７０４では、ＣＰＵ２０１は、ネットワークＩ／Ｆ２０４の動作状況を再度確認（再検出）し、Ｓ５０８に処理を進める。Ｓ５０８では、ＣＰＵ２０１は、画像処理装置１１０を電源ＯＦＦ状態に移行させる前準備を終了し、Ｓ７０５に処理を進める。
【００７８】
Ｓ７０５では、ＣＰＵ２０１は、上記Ｓ７０４の確認結果から、画像処理装置１１０とパブリックネットワーク１３０との通信状態を最終判定する。そして、通信遮断状態継続中（通信遮断状態を再検出した）と判定した場合（Ｓ７０５で「通信遮断継続中」の場合）、ＣＰＵ２０１は、Ｓ７０６に処理を進める。
【００７９】
Ｓ７０６では、ＣＰＵ２０１は、画像出力装置１２０に対して、電源ＯＦＦ状態に移行するように動作指示（電源ＯＦＦ状態への移行指示）を行う。この移行指示を受信した画像出力装置１２０のＣＰＵ２１１は、後述するＳ８０４〜Ｓ８０７の処理を行って、Ｓ８０７の処理で画像処理装置１１０のＣＰＵ２０１に上記移行指示を受領した旨の通知（受領済通知）を送信する。
【００８０】
Ｓ７０８において、ＣＰＵ２０１は、画像出力装置１２０から上記受領済通知を受信したか否かを判定する。そして、まだ画像出力装置１２０から上記受領済通知を受信していないと判定した場合（Ｓ７０８で「無」の場合）、ＣＰＵ２０１は、Ｓ７０６に処理を戻し、再度、上記移行指示を画像出力装置１２０に送付する。
【００８１】
一方、上記Ｓ７０８において、画像出力装置１２０から上記受領済通知を受信したと判定した場合（Ｓ７０８で「有」の場合）、ＣＰＵ２０１は、Ｓ７１３に処理を進める。Ｓ７１３では、ＣＰＵ２０１は、上記受領済通知が到達したことにより、画像処理装置１１０の電源ＯＦＦ状態への移行を開始する旨の連絡（移行開始の最終連絡）を、画像出力装置１２０に送信する。この連絡に応じて、画像出力装置１２０は、後述するＳ８０８以降の処理を行って自身を電源ＯＦＦ状態に移行させる。
【００８２】
上記Ｓ７１３で上記移行開始の最終連絡を画像出力装置１２０に送信した後、ＣＰＵ２０１は、Ｓ５０９において、画像処理装置１１０を電源ＯＦＦ状態に移行させて終了する。
【００８３】
また、上記Ｓ７０５において、画像処理装置１１０とパブリックネットワーク１３０とが通信可能状態である（通信可能状態に変わった）と判定した場合（Ｓ７０５で「通信可能」の場合）、ＣＰＵ２０１は、Ｓ７０７に処理を進める。この場合、上述した瞬断による不要な電源ＯＦＦ状態移行のケースに該当するため、電源ＯＦＦ状態に移行する必要はない。よって、ＣＰＵ２０１は、いつでも電源ＯＦＦ状態に移行できるように準備していた処理を取りやめ、復帰処理を開始する（Ｓ７０７）。
【００８４】
まず、Ｓ７０９において、ＣＰＵ２０１は、画像出力装置１２０に電源ＯＦＦ状態に移行を中止して復帰処理を行う旨の指示（移行中止・復帰指示）を送信する。この移行中止・復帰指示を受信した画像出力装置１２０のＣＰＵ２１１は、後述するＳ８０４〜Ｓ８１０の処理を行って、Ｓ８１０の処理で、画像処理装置１１０のＣＰＵ２０１に上記移行中止・復帰指示を受領した旨の通知（受領済通知）を送信する。
【００８５】
Ｓ７１０において、ＣＰＵ２０１は、画像出力装置１２０から上記受領済通知を受信したか否かを判定する。そして、まだ画像出力装置１２０から上記受領済通知を受信していないと判定した場合（Ｓ７１０で「無」の場合）、ＣＰＵ２０１は、Ｓ７０９に処理を戻し、再度、上記移行中止・復帰指示を画像出力装置１２０に送付する。
【００８６】
一方、上記Ｓ７１０において、画像出力装置１２０から上記受領済通知を受信したと判定した場合（Ｓ７１０で「有」の場合）、ＣＰＵ２０１は、Ｓ７１１に処理を進める。Ｓ７１１では、ＣＰＵ２０１は、上記受領済通知が到達したことにより、画像処理装置１１０の電源ＯＦＦ状態への移行を中止して復帰処理を開始する旨の連絡（復帰開始の連絡）を、画像出力装置１２０に送信する。この連絡に応じて、画像出力装置１２０は、後述するＳ８１１以降の処理を行って自身を復帰させる。
【００８７】
次に、画像処理装置１１０のＣＰＵ２０１は、Ｓ７１２において、画像処理装置１１０の復帰処理を終了させ、Ｓ５０１に処理を戻す。
【００８８】
＜実施例２の画像処理装置および画像出力装置が電源ＯＦＦ状態に移行するときの画像出力装置の動作説明＞
以下、図８を参照して、画像出力装置１２０が電源ＯＦＦ状態４０１に移行する場合の画像出力装置１２０の動作を説明する。
図８は、実施例２の画像出力装置１２０の処理を例示するフローチャートである。なお、図８に示したフローチャートの処理は、メモリ２１２に展開されたプログラムをＣＰＵ２１１が実行することにより実現される。なお、図６と同一のステップには同一のステップ番号を付してある。
【００８９】
Ｓ６０１〜Ｓ６０５の説明は省略する。画像出力装置１２０のＣＰＵ２１１は、Ｓ６０５において、上記電源ＯＦＦ状態への移行指示を受領したこと示す通知（受領済通知）が到達したと判定した場合（Ｓ６０５でＹｅｓの場合）Ｓ８０１に処理を進める。Ｓ８０１では、ＣＰＵ２１１は、画像出力装置１２０内で発生する電源ＯＦＦ状態に移行するのに不要な新規の処理の発生の有無を監視する。以下、電源ＯＦＦ状態に移行するのに不要な新規の処理の具体的な例を示す。
【００９０】
・定期的な画像出力装置１２０内の設定データの保存処理で、これから開始される処理
・画像処理装置１１０および画像出力装置１２０で連携して定期的に行う各種処理で、これから開始される処理（例えば、キャリブレーション処理、印刷処理など）
・定期的に行われる情報更新処理で、これから開始される処理（例えば、画像処理装置１１０から送信される設定情報の更新処理など）
【００９１】
上記新規の処理が発生したと判定した場合（Ｓ８０１で「有」の場合）、ＣＰＵ２１１は、Ｓ８０２に処理を進める。Ｓ８０２では、ＣＰＵ２１１は、処理制限をかけて、上記新規の処理を実行させずに終了させ、Ｓ８０３に処理を進める。一方、上記新規の処理が発生していないと判定した場合（Ｓ８０１で「無」の場合）、ＣＰＵ２１１は、そのままＳ８０３に処理を進める。
【００９２】
Ｓ８０３では、ＣＰＵ２１１は、画像出力装置１２０内で処理されている動作中の処理の終了状況を判定する。以下、動作中の処理の具体的な例を示す。
・動作中の画像出力装置１２０内の設定データの保存処理
・画像処理装置１１０および画像出力装置１２０で連携して行っている動作中の各種処理（例えば、キャリブレーション処理、印刷処理など）
・動作中の情報更新処理（例えば、画像処理装置１１０から送信される設定情報の更新処理など）
【００９３】
上記Ｓ８０３において、まだ上記動作中の処理が全て終了していないと判定した場合（Ｓ８０３でＮｏの場合）、ＣＰＵ２１１は、Ｓ８０１に処理を戻し、再度、画像出力装置１２０内で発生する電源ＯＦＦ状態に移行に不要な新規の処理の発生の有無を監視する。
【００９４】
一方、上記動作中の処理が全て終了したと判定した場合（Ｓ８０３でＹｅｓの場合）、ＣＰＵ２１１は、Ｓ８０４に処理を進める。Ｓ８０４では、ＣＰＵ２１１は、上記図７のＳ７０６又はＳ７０９の処理で画像処理装置１１０から送られてくる動作指示（最終動作指示）を定期的に監視し、該最終動作指示の到達を判定する。
【００９５】
そして、上記最終動作指示が到達していないと判定した場合（Ｓ８０４で「無」の場合）、ＣＰＵ２１１は、Ｓ８０４の判定を繰り返す。一方、上記最終動作指示が到達したと判定した場合（Ｓ８０４で「有」の場合）、ＣＰＵ２１１は、Ｓ８０５処理を進める。Ｓ８０５では、ＣＰＵ２１１は、画像処理装置１１０からの最終動作指示を検出したと判断し、Ｓ６０６に処理を進める。
【００９６】
Ｓ６０６では、ＣＰＵ２１１は、画像出力装置１２０を電源ＯＦＦ状態に移行させる前準備を終了し、Ｓ８０６に処理を進める。Ｓ８０６では、ＣＰＵ２１１は、上記Ｓ８０５で検出した画像処理装置１１０の最終動作指示を判定する。
【００９７】
そして、上記Ｓ８０６において、上記最終動作指示が電源ＯＦＦ状態への移行指示と判定した場合（Ｓ８０６で「電源ＯＦＦ状態移行」の場合）、ＣＰＵ２１１は、Ｓ８０７に処理を進める。Ｓ８０７では、ＣＰＵ２１１は、上記移行指示を受領したこと示す通知（受領済通知）を画像処理装置１１０に送信する。この受領済通知の受信に応じて、画像処理装置１１０は、上記図７のＳ７０８以降の処理を行う。
【００９８】
次に、Ｓ８０８において、ＣＰＵ２１１は、画像処理装置１１０に上記受領済通知が到達したか否かを判定する。上述したように、画像処理装置１１０では、図７のＳ７１３において、上記受領済通知が到達した場合に電源ＯＦＦ状態に移行開始する旨の連絡（移行開始の最終連絡）を画像出力装置１２０に送信する構成となっている。よって、画像出力装置１２０では、この移行開始の最終連絡を受信したか否かで上記受領済通知が到達したか否かを判定する。
【００９９】
ＣＰＵ２１１は、画像処理装置１１０から上記移行開始の最終連絡を受信していない場合、上記受領済通知が到達していないと判定し（Ｓ８０８でＮｏと判定し）、Ｓ８０７に処理を戻す。そして、再度、上記受領済通知を画像処理装置１１０に送信する。
【０１００】
一方、ＣＰＵ２１１は、画像処理装置１１０から上記移行開始の最終連絡を受信した場合、上記受領済通知が到達したと判定し（Ｓ８０８でＹｅｓと判定し）、Ｓ６０７において、ＣＰＵ２１１は、画像出力装置１２０を電源ＯＦＦ状態４０１に移行させて終了する。
【０１０１】
また、上記Ｓ８０６において、上記最終動作指示が電源ＯＦＦ状態に移行を中止して復帰処理を行う旨の指示（移行中止・復帰指示）と判定した場合（Ｓ８０６で「電源ＯＦＦ状態移行中止・復帰」の場合）、ＣＰＵ２１１は、Ｓ８０９に処理を進める。この場合、画像出力装置１２０は、瞬断による不要な電源ＯＦＦ状態移行のケースに該当するため、電源ＯＦＦ状態に移行する必要はない。よって、Ｓ８０９では、ＣＰＵ２１１は、いつでも電源ＯＦＦ状態に移行できるように準備していた処理を取りやめ、復帰処理を開始し、Ｓ８１０に処理を進める。
【０１０２】
Ｓ８１０では、ＣＰＵ２１１は、上記移行中止・復帰指示を受領したこと示す通知（受領済通知）を画像処理装置１１０に送信する。この受領済通知の受信に応じて、画像処理装置１１０は、上記図７のＳ７１０以降の処理を行う。
【０１０３】
次に、Ｓ８１１において、ＣＰＵ２１１は、画像処理装置１１０に上記受領済通知が到達したか否かを判定する。上述したように、画像処理装置１１０では、図７のＳ７１１において、上記受領済通知が到達した場合に電源ＯＦＦ状態への移行を中止して復帰処理を開始する旨の連絡（復帰開始の連絡）を画像出力装置１２０に送信する構成となっている。よって、画像出力装置１２０では、この復帰開始の連絡を受信したか否かで上記受領済通知が到達したか否かを判定する。
【０１０４】
ＣＰＵ２１１は、画像処理装置１１０から上記復帰開始の連絡を受信していない場合、上記受領済通知が到達していないと判定し（Ｓ８１１でＮｏと判定し）、Ｓ８１０に処理を戻す。そして、再度、上記受領済通知を画像処理装置１１０に送信する。
【０１０５】
一方、ＣＰＵ２１１は、画像処理装置１１０から上記移行開始の連絡を受信した場合、上記受領済通知が到達したと判定し（Ｓ８１１でＹｅｓと判定し）、Ｓ８１２において、ＣＰＵ２１１は、画像出力装置１２０の復帰処理を行い、Ｓ６０１に処理を戻す。なお、上記復帰処理とは、上記Ｓ８０２で制限していた新規に発生した処理の制限の解除などを行い、画像出力装置１２０を通常の処理状態に戻す処理を示す。
【０１０６】
以上示したように、実施例２によれば、実施例１の効果に加え、機器の再起動や結線の繋ぎ換えなどで、画像処理装置１１０とパブリックネットワーク１３０の通信状態が一時的に瞬断する場合であっても、無駄な電源のオフ・オン動作を行うことを抑えることができる。よって、上記のように通信状態が一時的に瞬断する場合に、その都度、電源ＯＦＦ状態に移行し、再度、電源ＯＮ状態に移行させるような無駄な動作を抑え、省電力を実現することができる。
【０１０７】
なお、上記図７のＳ７０２では画像処理装置１１０のＣＰＵ２０１が新規の処理を中止する構成を説明した。しかし、上記Ｓ７０２で中止した処理を画像処理装置１１０のＨＤＤ２０３に記憶しておき、画像処理装置１１０が電源ＯＦＦ状態から復帰、又は、Ｓ７１２の復帰処理終了の後に、ＣＰＵ２０１が上記ＨＤＤ２０３に記憶しておいた処理を実行するように制御する構成であってもよい。同様に、上記図８のＳ８０２で中止した処理を画像出力装置１２０のＨＤＤ２１６に記憶しておき、画像出力装置１２０が電源ＯＦＦ状態から復帰、又は、Ｓ８１２の復帰処理終了の後に、ＣＰＵ２０１が上記ＨＤＤ２１６に記憶しておいた処理を実行するように制御する構成であってもよい。
【０１０８】
＜効果＞
本発明の各実施例では、画像処理装置１１０がパブリックネットワークＩ／Ｆ２０４と通信不可状態を検出した場合、画像処理装置１１０および画像出力装置１２０が連携することによって、画像処理装置１１０および画像出力装置１２０双方の装置の電源状態を共に電源ＯＦＦ状態に移行させる構成を有する。このような構成によって、ネットワークの通信状態に起因した画像処理システムの電源管理を最適に行うことができる。
よって、例えば、パブリックネットワークにおいて通信機器の停止や、通信機器の再起動、結線の切断などで通信異常が発生したとき、パブリックネットワークと画像処理システム１００は未接続になるため、ＥｒＰ指令（Energy-related Products指令）制に従って、画像処理システム全体で消費電力を抑えることができる。
【０１０９】
また、上記各実施例では、ネットワーク１３０に接続された画像処理装置１１０と、画像処理装置１１０に接続された画像出力装置１２０を有する画像処理システム１００について説明した。しかし、本発明は、上記画像処理装置１１０と画像出力装置１２０を有する画像処理システム１００に限定されるものではない。例えば、ネットワークに接続された第１の装置と、第１の装置に接続された第２の装置（複数の装置であってもよ）を有する任意のシステムであってもよい。すなわち、複数の装置が連携して動作するシステムであって、該システム内の少なくとも１の装置がネットワークから指示を受信して他の装置に指示を行うシステムであれば、どのようなシステムにも本発明を適用可能である。
【０１１０】
また、上記各実施例では、ネットワーク１３０との通信状態に応じて、各装置を電源オフ状態に移行する構成について説明した。しかし、ネットワーク１３０との通信遮断状態の際に、画像処理装置１１０や画像出力装置が移行する電力状態は、電源オフ状態に限定されるものではない。ネットワーク１３０との通信遮断状態の際に、画像処理装置１１０や画像出力装置をより消費電力の小さい所定の電力状態に移行するようにしてもよい。例えば、Ｓ５０５（及びＳ７０６）において画像出力装置１２０に省電力状態４０４への移行を指示し、Ｓ５０９において画像処理装置１１０が省電力状態４０４への移行を行い、Ｓ６０７で画像出力装置１２０が省電力状態４０４への移行を行うように構成してもよい。
【０１１１】
以上のように、画像処理システム１００が接続するパブリックネットワークと画像処理システム１００の間の通信が遮断された場合に、画像処理システム１００を構成する画像処理装置１１０および画像出力装置１２０は共に連動して、適切な電力状態に移行することができる。これにより、ネットワークの通信状態に起因した画像処理システムの電源管理を最適に行うことができる。
従って、ネットワークから受信したジョブを複数の装置で連繋して処理するシステムにおけるネットワーク遮断時の無駄な電力消費を抑えることができる。
【０１１２】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１１３】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１１４】
１００  画像処理システム
１１０  画像処理装置
１２０  画像出力装置
１３０  ネットワーク
【図１】
2015203899.tif 000003
【図２】
2015203899.tif 000004
【図３】
2015203899.tif 000005
【図４】
2015203899.tif 000006
【図５】
2015203899.tif 000007
【図６】
2015203899.tif 000008
【図７】
2015203899.tif 000009
【図８】
2015203899.tif 000010